(57)【要約】      （修正有）【課題】遺族や参列者の気持ちを和ませ、且つまた荘厳な雰囲気を演出する納棺用香気発散具を提供する。【解決手段】納棺用香気発散具１は、可燃性の通気性シートからなり、散華の形状をなした本体部２の裏面に封筒状の偏平な匂い袋収納部３を設ける。該匂い袋収納部３に各種香料、香材４ａを充填した匂い袋４を収納する。尚、香料、香材４ａとしては種類を問わず、花の香りや線香の香り等の適宜の芳香を発するものを選ぶ。また、匂い袋収納部３は折り畳み式に構成する。【選択図】図７
0003171178.tif 000002
【実用新案登録請求の範囲】
【請求項１】
可燃性の通気性シートからなり、適宜の形状をなした本体部の表面及び／又は裏面に封筒状の偏平な匂い袋収納部を設け、該匂い袋収納部に各種香料、香材を充填した匂い袋を収納してなることを特徴とする納棺用香気発散具。
【請求項２】
可燃性の通気性シートが紙、布地又は通気性を持たせた樹脂シートのいずれかである請求項１記載の納棺用香気発散具。
【請求項３】
本体部の形状が散華の形状である請求項１又は２記載の納棺用香気発散具。
【請求項４】
匂い袋収納部が、本体部の下部に折線を介して連成した基部と、該基部の左右側部に夫々折線を介して連設した側部折り返し片と、前記基部の下部に折線を介して連設した下部折り返し片とをもって構成し、前記下部折り返し片を折線から前記基部上に折り返すと共に前記側部折り返し片を夫々折線から前記基部上に折り返し、この状態において更に前記基部を折線から前記本体部上に折り返し、接着や粘着シール等の適宜の手段をもって固定するようになした匂い袋収納部である請求項１、２又は３記載の納棺用香気発散具。
【考案の詳細な説明】
【技術分野】
【０００１】
本考案は棺内の遺体の周りにこれを取り囲むようにして入れる別れ花と一緒に、又はこれに代えて棺内に収める納棺用香気発散具に関するものである。
【背景技術】
【０００２】
葬儀、告別式の際においては遺族や参列者の夫々が棺内の遺体の周りにこれを取り囲むように生花の花弁部分を別れ花として入れることが風習となっている。しかし、この棺内に入れる別れ花が発する匂いはごく僅かであり、遺族や参列者には殆ど感ぜられない程である。
【０００３】
ところで、葬儀、告別式とりわけ納棺の際は最後のお別れであることから、遺族や参列者はより深い悲しみに眩れて心が沈んでいる。
【０００４】
本考案者は、このような状況において遺族や参列者の気持ちを少しでも和ませ、且つまた荘厳な雰囲気を演出するにはどのようにしたらよいかという点について研究した。
【０００５】
その結果、匂いが有効であるとことを知見した。即ち、棺内に花の香りや線香の香り等の適宜の芳香を立ち込めさせることにより上記目的を達成することができることを知見した。また、遺族にとっては親族との別れとなるために少しでも丁重なお別れを望まれることが多く、この場合には故人が生前に好きだった香りを選ぶことにより遺族の満足感をも満たすことができるものである。
【０００６】
また、匂いが有効であるとして、どのような形態にして棺内に入れることが雰囲気的に好ましいかという点についても検討した。その結果、雰囲気的に違和感がなければどのような形態となしてもよいが、とりわけ古来より仏を供養するためのものとして用いられる散華（蓮華の花びら）の形態が最適であることを知見した。
【０００７】
そして更に、本体部の形態が決定したとして、どのようにして匂いを発散させるようにしたらよいのかという点についても検討した。その結果、香料、香材をしみ込ませたり表面に付着させただけでは、時間の経過につれて匂い成分が揮散し、使用したときに匂いの発散が少なくて充分な効果を期待することができないことから、香料、香材を必要な分だけ充分に詰め込んだ匂い袋を用い、これを適宜に本体部に保持することにより意図する効果を挙げることができることを知見した。そしてまた、この場合に、本体部に、これに重ねる匂い袋収納部をもって匂い袋を保持することにより、散華の形状の本体部に反りが出て、全体が僅かではあるが立体的になる。且つまた僅かではあるが重みもある。これにより単にひらひらした一枚の紙といった安っぽい印象、感覚ではなく、故人の冥福を祈る気持ちを込めた具象物としての雰囲気を持たせることができるものである。
【考案の概要】
【考案が解決しようとする課題】
【０００８】
本考案は上記知見に基づきなされたものであって、棺内の遺体の周りにこれを取り囲むように入れる別れ花と一緒に、又はこれに代えて棺内に収めることにより、棺内に芳香を立ち込めさせ、もって深い悲しみに眩れて心が沈んでいる遺族や参列者の気持ちを和ませ、且つまた荘厳な雰囲気を演出することができるようになした納棺用香気発散具を提供しようとするものである。
【課題を解決するための手段】
【０００９】
而して、本考案の要旨とするところは、可燃性の通気性シートからなり、適宜の形状をなした本体部の表面及び／又は裏面に封筒状の偏平な匂い袋収納部を設け、該匂い袋収納部に各種香料、香材を充填した匂い袋を収納してなることを特徴とする納棺用香気発散具にある。
【００１０】
また、上記構成における可燃性の通気性シートは、紙、布地又は通気性を持たせた樹脂シートのいずれでもよい。
【００１１】
また、上記構成における本体部の形状としては、散華の形状とすることが好ましい。
【００１２】
また、上記構成における匂い袋収納部は、本体部の下部に折線を介して連成した基部と、該基部の左右側部に夫々折線を介して連設した側部折り返し片と、前記基部の下部に折線を介して連設した下部折り返し片とをもって構成し、前記下部折り返し片を折線から前記基部上に折り返すと共に前記側部折り返し片を夫々折線から前記基部上に折り返し、この状態において更に前記基部を折線から前記本体部上に折り返し、接着や粘着シール等の適宜の手段をもって固定するようになした匂い袋収納部とすることが好ましい。
【考案の効果】
【００１３】
本考案は上記の如き構成であるから、棺内の遺体の周りにこれを取り囲むように入れる別れ花と一緒に、又はこれに代えて棺内に収めることにより、棺内に芳香を立ち込めさせ、もって深い悲しみに眩れて心が沈んでいる遺族や参列者の気持ちを和ませ、且つまた荘厳な雰囲気を演出することができるようになすことができるものである。
【００１４】
また、本体部を古来より仏を供養するためのものとして用いられる散華の形態となした場合には、棺内に入れるときに雰囲気的に違和感がなく、寧ろ葬儀、告別式としての雰囲気を高めることができるものである。また、本体部に、これに重ねる匂い袋収納部をもって匂い袋を保持するものであるから、本体部に反りが出て、全体が僅かではあるが立体的になる。また、僅かではあるが重みもあることになる。これにより単にひらひらした一枚の紙といった安っぽい印象、感覚ではなく、故人の冥福を祈る気持ちを込めた具象物としての雰囲気を持たせることができるものである。
【００１５】
また、請求項４の通りの匂い袋収納部を折り畳み式とした場合には、一枚のシートを本体部を含めた展開形状に裁断するだけで簡単に製作することができると共に、保管時には嵩張らないように展開して偏平な状態としておき、使用時に封筒状に組み立てて使用することができるものである。匂い袋も折り畳んで封筒状にする中に入れるものであるから、遺族の希望やその場の雰囲気に合わせて適宜の匂いのものを自由に選択して入れることができるものである。また、一旦入れた後で他の匂いのものに取り替えることもできるものである。
【図面の簡単な説明】
【００１６】
【図１】本考案の実施形態に係る納棺用香気発散具の表面図である。
【図２】同裏面図である。
【図３】同右側面図である。
【図４】同平面図である。
【図５】同底面図である。
【図６】図１中Ａ−Ａ線断面図である。
【図７】図１中Ｂ−Ｂ線断面図である。
【図８】同匂い袋収納前の状態の展開裏面図である。
【図９】同匂い袋収納開始状態の裏面側から看た斜視図である。
【図１０】同匂い袋収納途中の状態の裏面側から看た斜視図である。
【考案を実施するための形態】
【００１７】
以下、本考案を実施するための形態について、図面を参照して説明する。
【００１８】
図中、１は納棺用香気発散具である。また、該納棺用香気発散具１は、可燃性の通気性シートからなり、散華の形状をなした本体部２の表面及び／又は裏面に封筒状の偏平な匂い袋収納部３を設け、該匂い袋収納部３に各種香料、香材４ａを充填した匂い袋４を収納してなるものである。尚、香料、香材４ａとしては種類を問わず、花の香りや線香の香り等の適宜の芳香を発するものを選べばよい。尚、本体部２の形状として、本実施形態では散華、即ち蓮華の花びらの形状となしているが、棺内に入れるときに雰囲気的に違和感がなければこの他適宜の形状となしてもよい。
【００１９】
また、前記可燃性の通気性シートは、本実施形態においては和紙等の紙を用いているが、この他布地や通気性を持たせた樹脂シートを用いるようにしてもよい。また、該可燃性の通気性シートは、薄いピンク色その他の適宜の色に着色したり、模様を付してもよい。
【００２０】
また、前記本体部２は、その前面に宗派に応じたお経や題目の文字、仏像の絵柄、その他の適宜の表記をなすことにより、一層葬儀用具としての雰囲気を高めることができるものである。
【００２１】
また、前記匂い袋収納部３は、本実施形態においては本体部２の裏面に設けるようにしているが、表面に、或いは表面と裏面の両方に設けるようにしてもよい。
【００２２】
また、前記匂い袋収納部３として、本実施形態においては前記本体部２の下部に折線Ｌ１を介して連成した基部３ａと、該基部３ａの左右側部に夫々折線Ｌ２、Ｌ３を介して連設した側部折り返し片３ｂ、３ｃと、前記基部３ａの下部に折線Ｌ４を介して連設した下部折り返し片３ｄとをもって構成し、前記下部折り返し片３ｄを折線Ｌ４から前記基部３ａ上に折り返すと共に、前記側部折り返し片３ｂ、３ｃを夫々折線Ｌ２、Ｌ３から前記基部３ａ上に折り返し、この状態において更に前記基部３ａを折線Ｌ１から前記本体部２上に折り返し、接着や粘着シール等の適宜の手段をもって固定するようになした匂い袋収納部３となしている。尚、本実施形態では粘着シール５を用いて固定している。また、前記下部折り返し片３ｄと側部折り返し片３ｂ、３ｃの折り返し順序は、上記と逆になしてもよい。また、匂い袋収納部３への匂い袋４の収納は、図９及び図１０に示す如く、先ず基部３ａに匂い袋４を置いた状態においてこれを包むように下部折り返し片３ｄと側部折り返し片３ｂ、３ｃを上記手順で組み立てるようにしてもよいし、或いは図示はしないが予め封筒状に折り畳んでから匂い袋４を入れるようにしてもよい。
【００２３】
而して、本実施形態に係る納棺用香気発散具１は、遺族や参列者の夫々が棺（図示せず。）内の遺体の周りにこれを取り囲むように入れる別れ花と一緒に、又はこれに代えて棺内に収めるものである。
【００２４】
これにより匂い袋４内から香気が発散して棺の内部に芳香が立ち込めるものである。また、納棺用香気発散具１を棺内に収めるとき、手にしている遺族や参列者にも香気が香り、良い香りがその人を包むものである。もって、深い悲しみに眩れて心が沈んでいる遺族や参列者の気持ちを和ませ、且つまた荘厳な雰囲気を演出することができるようになすことができるものである。
【００２５】
また、本体部２を古来より仏を供養するためのものとして用いられる散華の形態となした場合には、棺内に入れるときに雰囲気的に違和感がなく、寧ろ葬儀、告別式としての雰囲気を高めることができるものである。また、本体部２に、これに重ねる匂い袋収納部３をもって匂い袋４を保持するものであるから、本体部２に反りが出て、全体が僅かではあるが立体的になる。また、僅かではあるが重みもあることになる。これにより単にひらひらした一枚の紙といった安っぽい印象、感覚ではなく、故人の冥福を祈る気持ちを込めた具象物としての雰囲気を持たせることができるものである。
【００２６】
また、本実施形態の如く、匂い袋収納部３を折り畳み式とした場合には、一枚のシートを本体部２を含めた展開形状に裁断するだけで簡単に製作することができると共に、保管時には嵩張らないように展開して偏平な状態としておき、使用時に封筒状に組み立てて使用することができるものである。匂い袋４も折り畳んで封筒状にする中に入れるものであるから、遺族の希望やその場の雰囲気に合わせて適宜の匂いのものを自由に選択して入れることができるものである。また、一旦入れた後で他の匂いのものに取り替えることもできるものである。
【符号の説明】
【００２７】
１  納棺用香気発散具
２  本体部
３  匂い袋収納部
３ａ  基部
３ｂ、３ｃ  側部折り返し片
３ｄ  下部折り返し片
４  匂い袋
４ａ  香料、香材
５  粘着シール
Ｌ１、Ｌ２、Ｌ３、Ｌ４  折線
【図１】
0003171178.tif 000003
【図２】
0003171178.tif 000004
【図３】
0003171178.tif 000005
【図４】
0003171178.tif 000006
【図５】
0003171178.tif 000007
【図６】
0003171178.tif 000008
【図７】
0003171178.tif 000009
【図８】
0003171178.tif 000010
【図９】
0003171178.tif 000011
【図１０】
0003171178.tif 000012